(57)【特許請求の範囲】
【請求項１】
受光素子と、
該受光素子の受光面に対向する領域に長方形状の開口を有しており、前記受光素子を取り囲むように配置された枠部材と、
該枠部材の開口に設けられたレンズと、を備え、
前記枠部材の内壁に、前記レンズと前記受光素子とを結ぶ仮想線がなす第１方向から見て、凹部または凸部が設けられており、
前記凹部または前記凸部は、前記第１方向に沿って延びるように設けられているとともに、前記開口の短辺に設けられていないことを特徴とするイメージセンサ。
【請求項２】
受光素子と、
該受光素子の受光面に対向する領域に長方形状の開口を有しており、前記受光素子を取り囲むように配置された枠部材と、
該枠部材の開口に設けられたレンズと、を備え、
前記枠部材の内壁に、前記レンズと前記受光素子とを結ぶ仮想線がなす第１方向から見て、凹部または凸部が設けられており、
前記凹部または前記凸部は、前記第１方向に沿って延びるように設けられているとともに、前記開口の角部に設けられていないことを特徴とするイメージセンサ。
【請求項３】
前記開口の長手方向において、前記開口の中央部に設けられた前記凹部または前記凸部の数が、前記開口の両端部に設けられた前記凹部または前記凸部の数よりも多い、請求項１または２に記載のイメージセンサ。
【請求項４】
前記開口の長手方向において、前記凹部または前記凸部の数が、両端部から中央部に向かうにつれて増加する、請求項３に記載のイメージセンサ。
【請求項５】
前記開口の長手方向において、前記開口の中央部に設けられた隣り合う前記凹部または前記凸部同士の間隔が、前記開口の両端部に設けられた隣り合う前記凹部または前記凸部同士の間隔よりも短い、請求項１乃至４のいずれか１項に記載のイメージセンサ。
【請求項６】
前記開口の下方に前記受光素子が設けられており、
前記レンズが、前記開口の短手方向にずれて設けられている、請求項１乃至５のいずれか１項に記載のイメージセンサ。
【請求項７】
前記受光素子側に設けられた前記凹部または前記凸部と前記開口との距離が、前記レンズ側に設けられた前記凹部または前記凸部と前記開口との距離よりも長い、請求項１乃至６のいずれか１項に記載のイメージセンサ。
【請求項８】
前記凹部または前記凸部と前記開口との距離が、前記レンズ側から前記受光素子側に向かうにつれて漸次長くなる、請求項７に記載のイメージセンサ。
【請求項９】
前記凹部または前記凸部と前記開口との距離が、前記レンズ側から前記受光素子側に向かうにつれて段階的に長くなる、請求項７に記載のイメージセンサ。
【請求項１０】
請求項１乃至９のいずれか１項に記載のイメージセンサと、
該イメージセンサに光を供給するための光源と、
該光源からの光を反射させる読取媒体と、を備えることを特徴とする読取装置。
【発明の詳細な説明】
【技術分野】
【０００１】
本発明は、イメージセンサおよび読取装置に関する。
【背景技術】
【０００２】
従来、イメージスキャナ、ファクシミリ、あるいはコピー機等の読取装置として、イメージセンサを用いた読取装置が知られている。
【０００３】
このようなイメージセンサとしては、例えば、受光素子と、受光素子の受光面に対向する領域に開口を有しており、受光素子を取り囲むように配置された枠部材と、枠部材の開口に設けられたレンズとを有するものが知られている。
【０００４】
イメージセンサでは、光源より出射された光が枠部材に入射し、枠部材に入射した光が、枠部材の内壁面あるいはレンズの縁にて多重反射して反射光となって、受光素子に入射する場合がある。それにより、光学雑音であるゴースト現象が生じる可能性がある。そのため、受光素子に入射する反射光を低減するために、枠部材の内壁面に、レンズと受光素子とを結ぶ第１方向に直交した仮想線がなす複数の凹凸状の遮光線を設けたイメージセンサが知られている（特許文献１参照）。
【先行技術文献】
【特許文献】
【０００５】
【特許文献１】特開２０１０−２７８５０１号公報
【発明の概要】
【発明が解決しようとする課題】
【０００６】
しかしながら、上記従来のイメージセンサは、ゴースト現象の原因となる反射光を散乱させて低減することができるものの、上記第１方向に直交した複数の凹凸状の遮光線が、枠部材の内壁面に設けられているため、光源からの光が遮光線により遮光される可能性があった。光源からの光が遮光線により遮光されると、光量が不足する可能性があった。
【課題を解決するための手段】
【０００７】
本発明のイメージセンサは、受光素子と、該受光素子の受光面に対向する領域に長方形状の開口を有しており、前記受光素子を取り囲む枠部材と、該枠部材の開口に設けられたレンズと、を有するものであって、前記枠部材の内壁に、前記レンズと前記受光素子とを結ぶ仮想線がなす第１方向から見て、凹部または凸部が設けられており、前記凹部または前記凸部は、前記第１方向に沿って延びるように設けられているとともに、前記開口の短辺に設けられていない。また、本発明のイメージセンサは、受光素子と、該受光素子の受光面に対向する領域に長方形状の開口を有しており、前記受光素子を取り囲む枠部材と、該枠部材の開口に設けられたレンズと、を有するものであって、前記枠部材の内壁に、前記レンズと前記受光素子とを結ぶ仮想線がなす第１方向から見て、凹部または凸部が設けられており、前記凹部または前記凸部は、前記第１方向に沿って延びるように設けられているとともに、前記開口の角部に設けられていない。
【０００８】
また、本発明の読取装置は、上記に記載のイメージセンサと、該イメージセンサに光を供給するための光源と、該光源からの光を反射させる読取媒体とを備える。
【発明の効果】
【０００９】
本発明によれば、受光素子に反射光が供給される可能性を低減でき、かつ光源からの光量が不足する可能性を低減できるイメージセンサを提供することができる。
【図面の簡単な説明】
【００１０】
【図１】（ａ）は本発明の実施形態に係るイメージセンサを概略的に示す斜視図であり、（ｂ）は図１（ａ）に示すＩ−Ｉ線断面図である。
【図２】（ａ）は図１（ｂ）に示すＩＩ−ＩＩ線断面図であり、（ｂ）はイメージセンサの変形例を示すＩＩ−ＩＩ線断面図に対応する断面図である。
【図３】（ａ）は従来のイメージセンサ内の入射光を示す説明図であり、（ｂ）は図１に示すイメージセンサ内の入射光を示す説明図である。
【図４】本発明の実施形態に係る読取装置を示す概略断面図である。
【図５】（ａ）は他の実施形態に係るイメージセンサのＩＩ−ＩＩ線断面図に対応する断面図であり、（ｂ）は（ａ）に示すイメージセンサ内の入射光を示す説明図である。
【図６】（ａ）は本発明のさらに他の実施形態に係るイメージセンサのＩＩ−ＩＩ線断面図に対応する断面図であり、（ｂ）はさらに他の実施形態に係るイメージセンサのＩＩ−ＩＩ線断面図に対応する断面図である
【図７】（ａ）は本発明のさらに他の実施形態に係るイメージセンサを概略的に示す斜視図であり、（ｂ）は図７（ａ）に示すＩＩＩ−ＩＩＩ線断面図である。
【図８】（ａ）は図７に示すイメージセンサのＩＶ−ＩＶ線断面図であり、（ｂ）は一部を拡大して示す拡大平面図である。
【図９】（ａ）は本発明のさらに他の実施形態に係るイメージセンサの概略断面図であり、（ｂ）は図９（ａ）に示す矢印の方向から見た側面図である。
【図１０】（ａ）は本発明のさらに他の実施形態に係るイメージセンサの概略断面図であり、（ｂ）は図１０（ａ）に示す矢印の方向から見た側面図である。
【発明を実施するための形態】
【００１１】
＜第１の実施形態＞
以下、本発明のイメージセンサに係る第１の実施形態について、図面を参照しつつ説明する。図１に示すように、イメージセンサＸ１は、受光素子１と、受光素子１の受光面１ａに対向する領域に設けられた開口２を有し、受光素子１を取り囲むように設けられた枠部材３と、開口２に設けられたレンズ５とを備えている。図１（ｂ）に示すように、枠部材３の開口２と、受光素子１との間は何も設けられていない空間となっており、当該空間は光路として機能している。そして、受光素子１は、開口２の下方に配置されているため、レンズ５と受光素子１とが一直線状に配置されている。なお、図面で示すＤ１は、レンズ５と受光素子１とを結ぶ仮想線がなす方向であり、以下、第１方向Ｄ１と称する。
【００１２】
光源（不図示）から読取媒体（不図示）に向けて照射された光は、読取媒体により反射されてレンズ５および光路を通じて受光素子１に照射されることとなる。そして、受光素子１により、光学的な信号が電気的な信号に変換されることにより、読取媒体の文字、色彩あるいは模様等を読み取ることができる。
【００１３】
受光素子１は、読取媒体から発せられた光の明暗を電荷に光電変換する機能を有しており、光信号を順次読みだして電気信号に変換する。受光素子１としては、一般的に知られている光電変換素子を用いることができ、例えば、ＣＣＤ（Charge Coupled Device）あ
るいはＣＭＯＳ（Complementary Metal Oxide Semiconductor）を用いることができる。
【００１４】
枠部材３は、受光素子１およびレンズ５を保持する機能を有しており、樹脂等のプラスチックにより形成することができる。なお、枠部材３に入射した光が、枠部材３の内壁にて反射することを低減するために、枠部材３の構成材料として、黒色の樹脂を用いることが好ましい。枠部材３は、底面に設けられた受光素子１を取り囲むように設けられており、受光素子１の受光面１ａに対応する領域に開口２を有している。
【００１５】
レンズ５は、読取媒体が反射した光を受光素子１の受光面１ａに結像させる機能を有している。レンズ５の構成材料としては、例えば、ガラス、プラスチック、あるいは蛍石等を用いることができる。レンズ５は、受光素子１の受光面１ａに対向する領域に設けられた開口２に設けられている。本実施形態においては、レンズ５の形状が円柱形状のものを用いたが、直方体形状のものを用いてもよい。
【００１６】
図２,３を用いて、枠部材３を詳細に説明する。図２においては、凹部７および凸部９
が設けられていない状態の開口２を一点鎖線で示しており、レンズ５を破線により示している。また、図３において、枠部材３に入射する光を二点鎖線にて示している。
【００１７】
図２（ａ）に示すように、枠部材３は、開口２を有している。開口２は、長方形状をなしており、一方の長辺２ａと、他方の長辺２ｂと、一方の短辺２ｃと、他方の短辺２ｄとを有している。そして、第１方向Ｄ１に延びるように、複数の凹部７および複数の凸部９が、枠部材３の内壁に設けられている。そのため、第１方向Ｄ１から見ると、開口２の一方の長辺２ａ、他方の長辺２ｂ、一方の短辺２ｃ、および他方の短辺２ｄに、複数の凹部７および複数の凸部９が設けられることとなる。
【００１８】
具体的には、図３（ｂ）に示すように、枠部材３の内壁に設けられた凹部７および凸部９は、第１方向Ｄ１に延びるように設けられている。そのため、光源から出射された光は、枠部材３に入射した後、枠部材３の内壁にて反射されることとなる。
【００１９】
ところで、図３（ａ）に示す従来のイメージセンサは、枠部材３の内壁に、第１方向Ｄ１に対して垂直な凸部９が複数設けられている。それにより、反射光が、凸部９により散乱されて長手方向Ｄ２または短手方向Ｄ３に分散され、第１方向Ｄ１に存在する受光素子１に供給される可能性を低減することができる。
【００２０】
しかしながら、図３（ａ）に示す従来のイメージセンサでは、枠部材３の内壁に、第１方向Ｄ１に対して垂直な凸部９が複数設けられているために、受光素子１に供給される光量のうち、有効読取幅に必要な周辺光量までも反射させてしまう可能性がある。それにより、光源からの光量が不足するため、イメージセンサの信号雑音比（Ｓ／Ｎ比）が小さくなり、信号の伝送に対する雑音の影響が大きくなる問題がある。また、光源からの光量の不足を補うために、光度の高い光源を用いる必要があり、イメージセンサのコストが増大してしまう問題がある。
【００２１】
これに対して、図３（ｂ）に示すイメージセンサＸ１は、第１方向Ｄ１から見て、枠部材３の内壁に複数の凹部７および複数の凸部９が設けられており、複数の凹部７および複数の凸部９が、第１方向Ｄ１に延びるように設けられていることから、光源から供給される光量が第１方向Ｄ１に遮光される可能性を低減することができる。そのため、受光素子１に供給される光源からの光量が不足する可能性を低減することができる。それに加えて、有効読取幅に必要な周辺光量が第１方向に遮光されにくい構成となり、光源からの光量が不足する可能性を低減することができる。それに伴い、信号雑音比を高くすることができる。
【００２２】
また、第１方向Ｄ１から見て、複数の凹部７および複数の凸部９が枠部材３の内壁に設けられていることから、反射光が、長手方向Ｄ２または短手方向Ｄ３に散乱され、第１方向Ｄ１に存在する受光素子１に反射光が供給される可能性を低減することができる。つまり、枠部材３に入射した反射光は、複数の凹部７および複数の凸部９により散乱されることとなり、第１方向Ｄ１に存在する受光素子１に散乱されておらず強度の強い反射光が供給される可能性を低減することができる。それにより、ゴースト現象が生じる可能性を低減することができる。
【００２３】
このように、イメージセンサＸ１は、反射光が、受光素子１に供給される可能性を低減することができるとともに、受光素子１に供給される光源からの光量が不足する可能を低減することができる。
【００２４】
枠部材３は、所定の金型に上述した樹脂を充填して、射出成型を行い、固化した成形体
を金型から取り外すことにより作製することができる。
【００２５】
ここで、図３（ａ）に示す従来のイメージセンサは、第１方向Ｄ１に直交して凸部９が設けられていることから、射出成型を行い金型から成形体を取り外す際に、複数の凸部７が楔のように機能するため、スライドコア方式等の金型を用いる必要がある。それにより、金型を作製するコストが増大し、イメージセンサのコストが増大するおそれがある。
【００２６】
これに対して、イメージセンサＸ１は、枠部材３の内壁に、第１方向Ｄ１から見て複数の凹部７および複数の凸部９が設けられており、複数の凹部７および複数の凸部９が第１方向Ｄ１に延びるように設けられているため、射出成型を行い金型から成形体を取り外す際に、複数の凸部７および複数の凹部９が、楔のように機能しないこととなる。そのため、スライドコア方式の金型を用いる必要がなく、イメージセンサＸ１のコストの増加を低減することができる。
【００２７】
なお、図２（ａ）においては、Ｄ１方向から受光素子１を見て、枠部材３の内壁が屈曲して凹部７および凸部９を形成している例を示したが、これに限定されるものではない。例えば、図２（ｂ）に示すように、枠部材３の内壁が湾曲して凹部７および凸部９を形成していてもよい。この場合においても、反射光が受光素子１に供給される可能性を低減することができるとともに、受光素子１に対して光源からの光量が不足する可能性を低減することができる。また、湾曲により凹部７および凸部９を形成することにより、金型から枠部材３を引き抜く際にバリが生じる可能性を低減することができる。なお、屈曲した凹部７および屈曲した凸部９と、湾曲した凹部７および凸部９とを組み合わせてもよい。また、１つの凹部７のみを設けてもよく、１つの凸部９のみを設けてもよい。
【００２８】
また、第１方向Ｄ１から見て凹部７または凸部９が設けられているとは、レンズ５から受光素子１を見た時に、開口２を形成する一方の長辺２ａ、他方の長辺２ｂ、一方の短辺２ｃおよび他方の短辺２ｄが、直線ではなく、凹凸を有していることを示す。
【００２９】
図４を用いて、第１の実施形態に係るイメージセンサＸ１を備える読取装置Ｚについて説明する。
【００３０】
読取装置Ｚは、イメージセンサＸ１と、イメージセンサＸ１に光を供給するための光源１１と、光源１１からの光を反射する読取媒体Ｐとを備えている。イメージセンサＸ１は、筐体１３に保持されており、読取媒体Ｐと接触する面にはカバーガラス１５が設けられている。そして、筐体１３とカバーガラス１５とを覆うように蓋部材１７が設けられている。
【００３１】
イメージセンサＸ１は、筐体１３の内部に保持されており、光源１１は、イメージセンサＸ１の上面近傍に設けられている。読取媒体Ｐは、筐体１３の上面に設けられたカバーガラス１５に接触するように配置されており、カバーガラス１５と蓋部材１７により挟持されている。光源１１から出射された光が、読取媒体Ｐにて反射され、反射光が下方に向けて出射されることとなる。そして、イメージセンサＸ１に供給された反射光が、レンズ５により結像されて受光素子１に供給されることとなる。このようにして、読取装置Ｚは、読取媒体Ｐの画像を読み取ることができる。
【００３２】
読取装置Ｚは、さらに、読取装置Ｚを制御する制御部（不図示）と、イメージセンサＸ１を駆動させる駆動機構（不図示）とを備えていてもよい。このような読取装置Ｚは、例えば、画像等を読み取る際に、まず１画素分の幅の１ラインの画像等を線状に読み取る。次に、制御部は、読み取った１ラインの隣の画素を読み取るために、駆動機構を動作させて、読取装置Ｚがガイドレール（不図示）上を１画素分隣に移動するように駆動機構を動
作させる。図４においては、左方向にイメージセンサＸ１を駆動させる。そして、読取装置Ｚは、読み取り対象の位置にある原稿等の読取媒体Ｐを読み取る。この作動を複数回繰り返すことにより、読取媒体Ｐの全体を読み取る。
【００３３】
光源１１は、読取媒体Ｐに光を供給し、読取媒体Ｐから反射光を出射させる機能を有している。光源１１としては、ＬＥＤランプあるいは白熱電球等の照明冶具を用いることができる。
【００３４】
筐体１３は、イメージセンサＸ１の枠部材３と同様に、樹脂等のプラスチックにより形成することができる。筐体１３の内部においても、筐体１３の内壁による反射を低減するために、筐体１３の形成材料として、黒色の樹脂を用いることが好ましい、また、筐体１３の内壁に梨地処理を施してもよい。
【００３５】
カバーガラス１５は、筐体１３に固定されており、カバーガラス１５の上面に配置された読取媒体Ｐを保持する機能を有している。そして、光源１１より供給された光を、読取媒体Ｐに到達させるために透過性を有する必要がある。
【００３６】
蓋部材１７は、カバーガラス１５上に配置された読取媒体Ｐを挟持する機能を有している。また、読取装置Ｚの外部からの光を遮光する機能を有している。蓋部材１７を形成する材料は、一般的に知られるプラスチック等を用いればよい。
【００３７】
なお、光源１１が１つ設けられた例を示したが、光源をイメージセンサＸ１の両側に設けてもよく、図の紙面に対して垂直な方向に導光体（不図示）を設けてもよい。
【００３８】
＜第２の実施形態＞
図５を用いて、第２の実施形態に係るイメージセンサＸ２について説明する。イメージセンサＸ２は、第１方向Ｄ１から見て、開口２の一方の長辺２ａおよび他方の長辺２ｂに、複数の凹部７および複数の凸部９が設けられている。そして、一方の短辺２ｃおよび他方の短辺２ｄには凹部７および凸部９は設けられていない。また、開口２の角部８にも凹部７および凸部９は設けられていない。その他の点は、第１の実施形態に係るイメージセンサＸ１と同様であり説明を省略する。なお、同一の部材については、同一の符号を付しており以下同様とする。
【００３９】
イメージセンサＸ２は、開口の２の長手方向Ｄ２の中央部Ｃにおける一方の長辺２ａおよび他方の長辺２ｂにのみ、複数の凹部７および複数の凸部９が設けられている。その他の部位である、一方の短辺７ｃおよび他方の短辺７ｄ、開口２の角部８、および長手方向Ｄ２の両端部Ｅにおける一方の長辺２ａおよび他方の長辺２ｂには、凹部７および凸部９が設けられていない構成となっている。
【００４０】
図５にて示すように、イメージセンサＸ２は、開口２の長手方向Ｄ２の中央部Ｃの上端部にレンズ５が配置されている。そのため、レンズ５を通過した光の強度は、開口２の長手方向の中央部が両端部Ｅに比べて高いこととなる。つまり、長手方向Ｄ２における中央部Ｃは、両端部Ｅに比べて強度の強い反射光が多く発生することとなる。イメージセンサＸ２は、中央部Ｃに凹部７および凸部９を有することから、反射光が受光素子１に供給される可能性を低減することができる。
【００４１】
また、イメージセンサＸ２は、反射光の発生量が少ない長手方向Ｄ２の両端部Ｅに位置する一方の長辺２ａおよび他方の長辺２ｂには、凹部７および凸部９が設けられていない。しかしながら、レンズ５からの距離が遠い長手方向Ｄ２の両端部Ｅは、反射光の発生量が少ないため、凹部７および凸部９を設けなくとも、受光素子１に反射光が供給される可
能性は少ない。加えて、開口２の一方の短辺２ｃおよび他方の短辺２ｄに凹部７および凸部９が設けられていないことから、枠部材３を金型から容易に取り外すことができる。
【００４２】
特に、イメージセンサＸ２は、開口２の角部８に凹部７および凸部９が設けられていないことから、金型と枠部材３との密着性の高い角部８においても、容易に枠部材３を金型から取り外すことができる。そのため、イメージセンサＸ２を容易に作製することができる。
【００４３】
なお、長手方向Ｄ２における中央部Ｃは、開口２の上方に設けられたレンズ５に対応する部位を示し、レンズ５の直径とほぼ同等の長さを有する。また、長手方向Ｄ２における両端部Ｅは、中央部Ｃ以外の領域を示している。
【００４４】
＜第３の実施形態＞
図６（ａ）を用いて、第３の実施形態に係るイメージセンサＸ３について説明する。イメージセンサＸ３は、長手方向Ｄ２において、複数の凹部７が、開口２の一方の長辺２ａおよび他方の長辺２ｂの全域にわたって設けられている。その他の構成はイメージセンサＸ２と同様であり説明を省略する。
【００４５】
第３の実施形態に係るイメージセンサＸ３は、長手方向Ｄ２において、中央部Ｃに設けられた凹部７の数が、両端部Ｅに設けられた凹部７の数よりも多い構成を有している。それにより、反射光の生じやすい中央部Ｃにおいて、凹部７により反射光が受光素子１に供給される可能性を低減することができる。
【００４６】
また、中央部Ｃに設けられた隣り合う凹部７の間隔Ｌｅが、両端部Ｅに設けられた隣り合う凹部７同士の間隔Ｌｃよりも短い構成を有している。そのため、反射光の生じやすい中央部Ｃにおいては、中央部Ｃの隣り合う凹部７同士の間隔Ｌｃが短いため、効率よく反射光を散乱させることができる。さらに、反射光の生じにくい両端部Ｅにおいては、両端部Ｅの隣り合う凹部７同士の間隔Ｌｅが長いため、凹部７を多く設けない構成となる。それゆえ、枠部材３の構成を簡素化することができる。さらにまた、凸部９を設けずに凹部7のみを設けたことから、枠部材３の構成を簡素化することができる。なお、隣り合う凹
部７同士の間隔Ｌｃ，Ｌｅは、凹部７の最も深い位置同士の距離を示している。
【００４７】
図６（ｂ）に示すイメージセンサＸ３´は、イメージセンサＸ３の変形例を示している。イメージセンサＸ３´は、開口２の長手方向Ｄ２において、凹部７の数が、両端部Ｅから中央部Ｃに向かうにつれて増加する構成を有している。
【００４８】
上述したように、反射光は、長手方向Ｄ２の中央部Ｃにて最も多く、両端部Ｅに向かうにつれて少なくなっている。そのため、イメージセンサＸ３´が、長手方向Ｄ２において、凹部７の数が、両端部Ｅから中央部Ｃに向かうにつれて増加することから、反射光を効率よく散乱することができる。それにより、受光素子１に反射光が供給される可能性を低減することができる。また、光量の多い中央部Ｃにて、凹部９を多く有することから、上記効果に加えて、受光素子１に供給される光源からの光量が不足する可能性を低減することができる。
【００４９】
なお、第３の実施形態では、凸部９を設けずに凹部７のみを設けた例を示したが、凹部７および凸部９を設けてもよく、凸部９のみを設けてもよい。その場合においても、同様の効果を奏することができる。
【００５０】
＜第４の実施形態＞
図７，８を用いて第４の実施形態に係るイメージセンサＸ４について説明する。
【００５１】
図７（ａ）に示すように、イメージセンサＸ４は、レンズ５が短手方向Ｄ３にずれて設けられている。そして、開口２の一方の長辺２ａに設けられた凹部７の数が、開口２の他方の長辺２ｂに設けられた凹部７の数よりも多い構成を有している。
【００５２】
ここで、レンズ５は、短手方向Ｄ３方向から枠部材３に取り付けられている。より詳細には、図７（ａ）に示すように、枠部材上部３ａから取り付けられている。そのため、図７（ｂ）に示すように、枠部材下部３ｂにより保持固定されている。それにより、レンズ５の中心線５０が、枠部材３の中心線３０とずれる構成となっている。なお、レンズ５の中心線５０上に受光素子１の重心（中心）が配置されている。
【００５３】
このような構成であると、レンズ５を枠部材３に強固に固定することができるとともに、レンズ５と枠部材３との接合を容易にすることができる。また、レンズ５の中心線５０に近い開口２の一方の長辺２ａ側が、他方の長辺２ｂ側よりも多く反射光が供給されることとなる。しかしながら、イメージセンサＸ４は、開口２の一方の長辺２ａに設けられた凹部７の数が、開口２の他方の長辺２ｂに設けられた凹部７の数よりも多い構成を有しているため、反射光の多い一方の長辺２ａ側にて、反射光を効率よく散乱させることができる。そのため、受光素子１に反射光が供給される可能性を低減させることができる。また、反射光と同様に、光量も一方の長辺７ａ側が多いこととなるが、第１方向に延びる凹部７を有しているため、光量が遮られることを低減して、受光素子１に光量が不足する可能性を低減することができる。
【００５４】
さらにまた、レンズ５の中心線５０と、受光素子１の重心とが同一直線上に設けられていることから、ゆがみのない読取媒体（不図示）の結像を受光素子１が読み取ることができる。
【００５５】
なお、開口２の一方の長辺２ａ、他方の長辺２ｂ、一方の短辺２ｃ、および他方の短辺２ｄに設けられた凹部７および凸部９とは、開口２の一方の長辺２ａ、他方の長辺２ｂ、一方の短辺２ｃ、および他方の短辺２ｄから第１方向Ｄ１に延びて設けられている凹部７および凸部９であり、実際は枠部材３の内壁に設けられている。
【００５６】
＜第５の実施形態＞
図９を用いて、第５の実施形態に係るイメージセンサＸ５について説明する。図９（ａ）は、図１のＩ−Ｉ線断面図に対応する断面図であり、（ｂ）は、図９（ａ）の矢印で示す受光素子１側から見た側面図である。
【００５７】
イメージセンサＸ５は、受光素子１側に設けられた凹部７と開口２との距離が、レンズ５側に設けられた凹部７と開口２との距離よりも長い構成となっている。そして、凹部７と開口２との距離Ｌが、レンズ５側から受光素子１側に向かうにつれて長くなっている。
【００５８】
レンズ５により結像された像が表れる受光素子１側は、反射光の影響を受けやすく、反射光をより散乱させる構成を有することが好ましい。イメージセンサＸ５は、受光素子１側に設けられた凹部７と開口２との距離が、レンズ５側に設けられた凹部７と開口２との距離よりも長い構成となっている。言い換えると、凹部７の深さが、レンズ５側から受光素子１側に向かうにつれて深くなっている。
【００５９】
凹部７と開口２との距離Ｌが長いと、凹部７により形成される面の長手方向Ｄ２に対する角度が急な構成となる。それにより、反射光が、凹部７により形成される面である枠部材３の内壁に反射されることにより、より散乱させることができる。そのため、受光素子１側において、反射光を効率よく散乱させることができ、受光素子１に対する反射光の影
響を小さくすることができる。それゆえ、信号雑音比を高くすることができる。
【００６０】
また、受光素子１側にて、凹部７と開口２との距離Ｌが長いため、光源からの光を遮光する可能性をさらに低減することができ、受光素子１に十分な量の光量を供給することができる。
【００６１】
さらにまた、凹部７と開口２との距離Ｌが漸次長くなる構成を有しているため、光源から出射された光を妨げることなく、受光素子１に供給することができる。
【００６２】
なお、イメージセンサＸ５においては、凹部７と開口２との距離が一定の割合で長くなる構成を示したが、一定の割合で長くならなくともよい。例えば、受光素子１側に向かうにつれて次第に、凹部７と開口２との距離の変位量を大きくしてもよい。
【００６３】
＜第６の実施形態＞
図１０を用いて、第６の実施形態に係るイメージセンサＸ６について説明する。図１０（ａ）は、図１のＩ−Ｉ線断面図に対応する断面図であり、（ｂ）は、図１０（ａ）の矢印で示す受光素子１側から見た側面図である。
【００６４】
イメージセンサＸ６は、凹部７と開口２との距離が、レンズ５側から受光素子１側に向かうにつれて段階的に長くなる点で、イメージセンサＸ５と異なりその他の点は同様である。
【００６５】
イメージセンサＸ６は、凹部７と開口２との距離が、レンズ５側から受光素子１側に向けて３段階に分けて長くなっている。つまり、枠部材３の内壁により形成される凹部７ａ，７ｂ，７ｃが、段をなしている。図１０（ａ）に示すように、凹部７ａ，７ｂ，７ｃの深さに対する凹部７ａ，７ｂ，７ｃと開口２との距離Ｌａ，Ｌｂ，Ｌｃが、Ｌａ＞Ｌｂ＞Ｌｃという関係を有している。
【００６６】
このように、凹部７と開口２との距離が段階的に長くなっているため、反射光の影響が大きい受光素子１側にて、凹部７と開口２との距離が長い凹部７により、効率よく反射光を散乱させることができる。
【００６７】
なお、凹部７と開口２との距離が段階的に長くなる例を示したが、凹部７と開口２との距離が漸次長くなり、かつ段階的に長くなる構成としてもよい。その場合においても、反射光を散乱させることができる。
【００６８】
以上、本発明の一実施形態について説明したが、本発明は上記実施形態に限定されるものではなく、その趣旨を逸脱しない限りにおいて種々の変更が可能である。なお、実施形態Ｘ１〜Ｘ６を任意に組み合わせてもよい。
【００６９】
例えば、レンズ５と受光素子１とを一組として、これら複数組を組み合わせてなるレンズアレイを用いたイメージセンサの場合においても、本発明を適用することができる。その場合、レンズ５と受光素子１との間の光路を形成する枠部材３の内壁に、レンズ５と受光素子１とを結ぶ仮想線がなす第１方向に延びる凹部７または凸部９を形成すればよい。
【００７０】
なお、イメージセンサＸ１を用いた読取装置Ｚの例について示したが、イメージセンサＸ１に代えて、イメージセンサＸ２〜Ｘ６のいずれかを採用して読取装置Ｚを構成してもよい。
【符号の説明】
【００７１】
Ｘ１〜Ｘ６  イメージセンサ
Ｚ  読取装置
Ｐ  読取媒体
１  受光素子
２  開口
２ａ  一方の長辺
２ｂ  他方の長辺
２ｃ  一方の短辺
２ｄ  他方の短辺
３  枠部材
５  レンズ
７  凹部
９  凸部
１１  光源
１３  筐体
１５  カバーガラス
【図１】
0005800744.tif 000002
【図２】
0005800744.tif 000003
【図３】
0005800744.tif 000004
【図４】
0005800744.tif 000005
【図５】
0005800744.tif 000006
【図６】
0005800744.tif 000007
【図７】
0005800744.tif 000008
【図８】
0005800744.tif 000009
【図９】
0005800744.tif 000010
【図１０】
0005800744.tif 000011